(57)【特許請求の範囲】
【請求項１】
引出し用のロック可能な押出装置（１）であって、移動方向（ＯＲ、ＳＲ）で相対的に可動である第１部材（３）と、第２部材（２）とを含んでおり、
前記第２部材（２）は、前記引出しの閉端位置で前記第１部材（３）に対して、ロック可能であり、
前記第１部材（３）は、駆動要素（５）と、該駆動要素（５）を前記第２部材（２）に付勢するバネ（４）と、該駆動要素（５）の一部を成す係止部（６）とを含んでおり、
前記第２部材（２）は、該係止部（６）を誘導する溝を備えた誘導走行路（８）として機能し、該誘導走行路（８）には、少なくとも、
（ａ）前記係止部（６）を出入りさせる出入口（１０）を有した入口区部（Ａ）と、
（ｂ）前記引出しが前記閉端位置にあるとき、前記係止部（６）を誘導し、前記第１部材（３）に対してロックする、前記入口区部に接続されたロック区部（Ｂ）と、
（ｃ）前記バネ（４）の弛緩方向に前記係止部（６）を区部内で誘導し、該バネ（４）の弛緩時に前記係止部（６）を押し出す、前記ロック区部（Ｂ）に接続された押出し区部（Ａ’）と、
（ｄ）前記押出し区部（Ａ’）に接続され、前記係止部（６）を前記引出しの開方向（ＯＲ）に誘導する出口区部（Ｃ）と、が設けられており、
前記引出しが移動すると、前記第１部材（３）の前記係止部（６）は、前記第２部材（２）の前記各区部（Ａ，Ｂ、Ａ’、Ｃ）の前記溝内で、順次、誘導されることを特徴とするロック可能な押出装置。
【請求項２】
係止部（６）のための停止部として形成される区部（Ａ’）は可動家具部の移動方向（
ＯＲ、ＳＲ）に対して角度を有するように配置されていることを特徴とする請求項１記載
の押出装置。
【請求項３】
誘導走行路（８）は可動家具部の移動方向（ＯＲ、ＳＲ）に対して有角状態で走行する
複数の区部（Ａ、Ａ’）を有しており、前記入口区部（Ａ）はバネ（４）の緊張時に駆動
要素（５）の入口部として作用し、押出し区部（Ａ’）は前記バネ（４）の弛緩時に前記駆動要素（５）の押出し部として作用することを特徴とする請求項１または２記載の押出装置。
【請求項４】
バネ（４）を緊張させるため、入口区部（Ａ）が、可動家具部の移動方向（ＯＲ、ＳＲ
）に対して３０°から８０°の範囲内に配置されていることを特徴とする請求項１から３のいずれかに記載の押出装置。
【請求項５】
バネ（４）を弛緩させるため、押出し区部（Ａ’） が、可動家具部の移動方向（ＯＲ、ＳＲ）に対して９０°に配置されていることを特徴とする請求項１から４のいずれかに記載の押出装置。
【請求項６】
ロック区部（Ｂ）は可動家具部の移動方向（ＯＲ、ＳＲ）に対して略平行に走行するこ
とを特徴とする請求項１から５のいずれかに記載の押出装置。
【請求項７】
ロック区部（Ｂ）は可動家具部の移動方向（ＯＲ、ＳＲ）に対して略垂直に走行するこ
とを特徴とする請求項１から５のいずれかに記載の押出装置。
【請求項８】
誘導走行路（８）は係止部（６）を誘導する誘導溝部として形成されていることを特徴とする請求項１から７のいずれかに記載の押出装置。
【請求項９】
誘導走行路（８）は該走行路（８）の平面に駆動要素（５）の係止部（６）の進入/外出のための入口/出口（１０）を有することを特徴とする請求項１から８のいずれかに記載の押出装置。
【請求項１０】
押出装置（１）は、互い方向に直線的に可動である２部材（２、３）を含んでおり、バネ式駆動要素（５）は前記第１部材（３）内に回転式に収容され、前記第２部材（２）内に形成されている溝型の誘導走行路（８）と係合することを特徴とする請求項１から９のいずれかに記載の押出装置。
【請求項１１】
駆動要素（５）は可動家具部の移動方向（ＯＲ、ＳＲ）に対して４５°以上から９０°
の範囲内で回転できるように押出装置（１）の第１部材（３）内に収容されていることを
特徴とする請求項１から１０のいずれかに記載の押出装置。
【請求項１２】
駆動要素（５）はレバー体として形成されており、該レバー体には押出装置（１）の第
２部材（２）の誘導走行路（８）内に係合するように形成されている係止部（６）が回転
式に取り付けられていることを特徴とする請求項１から１１のいずれかに記載の押出装置
。
【請求項１３】
駆動要素（５）は押出装置（１）の第１部材（３）に形成された誘導走行路（７）内で
係止部（６）を介して誘導されることを特徴とする請求項１２に記載の押出装置。
【請求項１４】
互い方向に移動する２部材（２、３）のうち、一方は家具用であり、他方は可動家具部
用であり、本押出装置（１）は、本押出装置（１）の前記２部材（２、３）間に作用する
係止部（６）によって構成される結合要素（２１）を前記可動家具部の開閉通路の少なく
とも一部に有しており、本押出装置（１）の前記２部材（２、３）はそれぞれ前記結合要
素（２１）のための誘導走行路（７、８）を有していることを特徴とする請求項１１に記載の押出装置。
【請求項１５】
結合要素（２１）は押出装置（１）の一方の部材（３）内に４５°以上から９０°の範囲内で回転できるように収容され、他方の部材（２）内に形成された誘導走行路（８）は該誘導走行路（８）の平面で駆動要素（５）の係止部（６）の出入のための出口/入口（１０）を有していることを特徴とする請求項１４記載の押出装置。
【請求項１６】
ロック可能な押出装置（１）が、互い方向に直線的に移動でき、可動家具部の誘導構造
体（１４）内に一体的に提供されている２部材（２、３）を有していることを特徴とする
請求項１から１５のいずれかに記載の押出装置を備えた家具。
【請求項１７】
誘導構造体（１４）は、家具本体に固定された少なくとも１本の家具本体レール（１１
）と、前記家具本体レール（１１）に沿って可動である引出レール（１２）とを有してお
り、押出装置（１）の一方の部材（３）は前記家具本体レール（１１）に固定的に接続さ
れており、前記押出装置（１）の他方の部材（２）は前記引出レール（１２）に固定され
ていることを特徴とする請求項１６記載の家具。
【請求項１８】
引出レール（１２）と結合した、あるいは結合可能な引入装置（２０）を備えているこ
とを特徴とする請求項１６または１７記載の家具。
【請求項１９】
引出レール（１２）と結合した、あるいは結合可能な緩衝装置（１７）を備えているこ
とを特徴とする請求項１６から１８のいずれかに記載の家具。
【発明の詳細な説明】
【技術分野】
【０００１】
本発明は家具内でガイド式に移動できる家具部のためのロック可能な押出装置に関する
。特に引き出し及び扉部である可動家具部をその閉端位置から開位置に移動させるように
設計されているバネ式駆動要素を備えたロック可能な押出装置に関する。
【背景技術】
【０００２】
このような可動家具部のロック式押出装置の様々な態様は知られている。それら押出装置
は、可動家具部をその閉端位置から開位置に移動させるため、バネの弛緩力を利用する駆
動要素を可動家具部に直接的に作用させ、あるいは可動家具部と結合している駆動ドグと
係合させるように設計されている。
【０００３】
ロック可能な押出装置は、駆動要素がロック要素を兼ねるように成型され、可動家具部
を閉端位置にて固定するように構成されている。この目的で駆動要素は、バネの弛緩力が
作用している状態にある可動家具部の閉端位置にて駆動要素を保持するための係留部を有
した誘導走行路内を走行する。
【０００４】
知られたタッチ式ラッチの原理を利用して可動家具部を押出するため、可動家具部はま
ず閉端位置背後の放出位置にまで閉方向にて押し込まれる。駆動またはロック要素は、係
留部を離れてバネの作動方向に走行する駆動セクション内に位置するまで、すなわち可動
家具部の係留状態が外されるまで駆動ドグを介して誘導走行路内で移動する。バネの弛緩
力により駆動要素は可動家具部の開方向に移動し、駆動ドグを介して可動家具部を押出す
る。
【０００５】
従来式のロック式押出装置は可動家具部の単純な開閉を可能にするために大きなスペー
スを必要とし、誘導走行路に対する駆動ドグの位置の正確な調整をも必要とする。
【発明の開示】
【発明が解決しようとする課題】
【０００６】
従って本発明の１目的は、バネの単純な作動を利用した押出装置であって、バネの弛緩
作用時に駆動要素を捕獲係留するように構成されている単純設計の押出装置の製造であ
る。
【課題を解決するための手段】
【０００７】
本発明によればこの目的は、バネ式駆動要素と誘導走行路との協調によって家具部を可
動にすべく設計されている少なくとも１つの区部を有した誘導走行路の利用によって達成
される。この目的の達成のため、本発明の好適実施例によれば少なくとも入口区部は可動家具部の移動方向に対して角度を有するように配置されている。
【０００８】
すなわち、その少なくとも１有角区部は駆動要素の停止部として作用し、バネの緊張時
及び/又は弛緩作用時にバネの圧力受領部として作用する。バネの弛緩力によって駆動要
素は停止部と滑走部とを形成している誘導走行路の区部の側壁に抗して引っ張られる。な
ぜなら、誘導走行路はこの区部では走行路に対して有角状態で走行するからである。
【０００９】
本発明の押出装置の好適実施例によれば、この誘導走行路は可動家具部の移動方向に対
して有角状態で走行する複数の区部を有している。その入口区部はバネの緊張時に駆動要素の停止部として作用し、押出し区部はバネの弛緩時に駆動要素の停止部として作用する。
【００１０】
このように、誘導走行路内で誘導されて走行するバネ力または流体圧の保存装置等であ
る作用力保存装置によって駆動される駆動要素を備えた押出装置の場合には、誘導走行路
の有角区部によって、作用力保存装置へのエネルギー蓄積時及び/又は保存装置からのエ
ネルギー放出時に作動する圧力受領部が形成されているため、可動家具部と結合した別体
の駆動ドグを利用する必要性はない。
【００１１】
可動家具部の移動速度が遅いときにも確実にバネを緊張させるため、本発明の別好適実
施例ではバネを緊張させるために入口区部を可動家具部の移動方向に対して３０°から８０°、好適には６０°から６５°に調整し、押出し区部を可動家具部の移動方向に対して約９０°に調整する。
【００１２】
バネの緊張後における可動家具部の閉端位置での固定係留は、本発明の別実施例によれ
ば、可動家具部が閉端位置に存在するときに駆動要素を解放可能に捕獲係留させる係留部
を備えたロック区部を有した誘導走行路により提供される。
【００１３】
この場合、誘導走行路を可動家具部の移動方向に対して平行または垂直に走行させるこ
とができるため、可動家具部の開方向で駆動要素を捕獲係留させる係留部のみの調整で構
わない。
【００１４】
特に単純構造の本発明の別実施例によれば、誘導走行路は単なる誘導溝部として形成さ
れる。押出装置のサイズ、特に長さを短くするため、本発明の好適実施例では押出装置は
２つの部材である第１部材と第２部材とを含む。好適にはこれら２部材は互方向に直線的
に可動である。バネ式駆動要素は第１部材内に回転式に収容され、第２部材内に形成され
ている好適には溝型の誘導走行路と係合する。好適には誘導走行路は走行路の平面に駆動
要素の進入/外出のための入口/出口を有する。
【００１５】
普通は取手部が存在しない前面をバネの弛緩作用よって家具本体から飛び出させるよう
、可動家具部を家具から大きく離れる方向に確実に移動させるため、本発明の別実施例で
は駆動要素は可動家具部の移動方向に対して４５°以上、好適には９０°回転できるよう
に押出装置の第１部材内に収容されている。
【００１６】
駆動要素はレバー体として形成されており、レバー体には押出装置の第２部材の誘導走
行路内に係合するように係止部が形成されており、好適には回転式に取り付けられていれ
ば、誘導走行路内の駆動要素の確実で安定した誘導が保証される。このように構成された
本発明の好適実施例によれば、駆動要素を押出装置の第１部材内に形成された誘導走行路
内で係止部を介して追加的に誘導することでさらに安定した押出装置が得られる。
【００１７】
本発明の別実施例によれば、家具内で誘導式に移動できる可動家具部用、特に引き出し
用あるいは扉部用に使用され、互い方向に直線的に移動する２部材を有したロック可能な
押出装置では、部材の一方は家具用であり、部材の他方は可動家具部用であり、バネ式駆
動要素が可動家具部を閉端位置から開位置に移動させるように提供されている。押出装置
はそれら２部材間に作用する結合要素を可動家具部の開閉通路の少なくとも一部に有しており、それぞれの部材は結合要素のための誘導走行路を有している。
【００１８】
押出装置の２部材を結合する結合要素のための２つの誘導走行路を形成することで、駆
動要素を誘導位置にて正確に誘導する非常に有効な方策が提供される。
【００１９】
本発明の別実施例による結合要素は押出装置の一方の部材内に４５°以上、好適には９
０°で回転できるように収容され、他方の部材内に形成された誘導走行路は誘導走行路の
平面で駆動要素の出入のための出口/入口を有している。結合要素はその２端部位置間で
全通路に沿って安定的に誘導される。本発明の好適実施例ではフレキシブルな突出部が出
口直前で誘導走行路内に提供されており、誘導走行路内への進入時に誘導走行路の有角区
部に駆動要素を押し込む。特に単純な本発明の実施例では結合要素は駆動要素によって形
成されている。
【００２０】
ロック可能な押出装置が、好適には互い方向に直線的に移動でき、誘導構造体内に一体
的に提供されている２部材を有しているときに達成されるが、本発明の別実施例による、
押出装置の部材も、それら押出装置の部材との係合のための別体ドグも可動家具部に取り
付けられてはいない押出装置を備えた家具も可能である。単純な設計によって誘導構造体
は、家具本体に固定された少なくとも１本の家具本体レールと、家具本体レールに沿って
可動である引出レールとを有している。押出装置の一方の部材は家具本体レールに固定的
に接続されており、押出装置の他方の部材は引出レールに固定されている。
【００２１】
すなわち、本発明は家具内で誘導されて移動する可動家具部用に使用され、誘導構造体
と一体的に形成されている押出装置を提供する。押出装置の部材のための追加別体駆動ド
グの可動家具部または誘導構造体の部材への取り付けは不要である。
【００２２】
移動速度が遅いときにでも可動家具部が閉端位置に確実に移動できるようにするため、
本発明の別好適実施例では引出レールと結合した、あるいは結合可能な引入装置が利用さ
れる。
【００２３】
一方、好適には家具が引出レールと結合した、あるいは結合可能な緩衝装置を備えてい
れば、押し込み作動時の可動家具部の急速移動による押出装置の放出は防止される。
【００２４】
本発明のロック可能な押出装置のさらなる詳細と利点は、添付の図面を利用した以下の
詳細な解説により提供されている。
【発明を実施するための最良の形態】
【実施例１】
【００２５】
図１ａは、引き出しあるいは扉部等の可動家具（図示せず）に取り付けられるように形成された誘導構造体１４内に一体的に提供される本発明の押出装置１の第１実施例を図示する。誘導構造体１４は引き出しの引出誘導体として形成されており、家具本体に固定できる家具本体レール１１と、中間レール１３を挟んで家具本体レール１１と対面し、移動できるように収容された引出レール１２とを有している。これは可動家具部に解放可能に取り付けられる。
【００２６】
図示の実施例では押出装置１は相互に直線的に移動する２部材２、３で構成される。第
１部材３は家具本体レール１１に固定され、第２部材２は引出レール１２に固定される。
【００２７】
図１ｂは押出装置１が分解された状態である図１ａの実施例を示す。第１部材３内では
駆動要素５は第１部材３の平面に対して垂直な軸ａの周囲で回転するように収容されてい
る。駆動要素５はレバー体として形成されており、回転の中心の反対側でその端部に係止
部６を有している。駆動要素５は押出装置１の第１部材３内で固定された引っ張りバネ４によって常に引っ張り作用を受け、第１部材３の誘導走行路７内で係止部６を介して誘導される。係止部６はスリット状の誘導走行路７内を通過し、第２部材２内に形成された誘導走行路８（図２ａ）内でその自由端と係合する。これは誘導されて移動することができる（図４）。
【００２８】
誘導走行路８に加えて、フレキシブルな突出部９が誘導走行路８の入口/出口近辺で押
出装置１の第２部材２内に形成されている。
【００２９】
図２ａから図２ｄでは押出装置１の第２部材２が下方から観察される。第２部材２は引
出レール１２の収容開口部１５内の接続手段１６（図１ｂ）を介して引出レール１２に固定されている。さらに図２ａから図２ｄでは駆動要素５の係止部６が可動家具部、すなわち押出装置
１の異なる位置にて図示されている。
【００３０】
図２ａでは、駆動要素５の係止部６は係留部１９内で誘導走行路８のロック区部Ｂ内に
存在する。すなわち可動家具部は閉端位置である。押出作用を開始するには、可動家具部
はまずユーザによって閉方向ＳＲで閉端位置背後の解放位置に移動される。係止部６は誘
導走行路８内で移動して係留部１９を離れ、バネ式駆動要素５のロックは外される。
【００３１】
図２ｂでは駆動要素５の係止部６は誘導走行路８の駆動区部である押出し区部Ａ’内に存在する。弛緩するバネ４のおかげで駆動要素５は横方向（時計方向）に回動し（図３ｃ、３ｄ）、誘導走行路８の押出し区部Ａ’の側壁に沿ってスライドすることで可動家具部の開方向ＯＲに、押出装置１の第２部材２を移動させる。可動家具部は図２ａで示す閉端位置から開位置に移動する。
【００３２】
誘導走行路８の押出し区部Ａ’には、可動家具部の移動方向ＳＲ，ＯＲに実質的平行
な出口区部Ｃが結合しており、押出し区部Ａ’の反対側でその端に駆動要素５の係止部６の入口/出口１０を有している。
【００３３】
駆動要素５の係止部６が誘導走行路８の押出し区部Ａ’を通過すると、押出作用が終了し、ユーザによって可動家具部が手動でその開端位置へと移動し、駆動要素５の係止部６は誘導走行路８の出口区部Ｃの上部まで移動する（図２ｃ）。
【００３４】
可動家具部が押し込まれると、係止部６はフレキシブルな突出部９によって押圧され、
出口区部Ｃの端に形成された入口１０を誘導走行路８の入口区部Ａへ閉鎖させる。この目
的で、フレキシブルな突出部９はその自由端で楔形に形成されている。可動家具部が家具
本体内へとさらに移動するとき（図２ｄ）、係止部６は入口区部Ａの側壁に沿ってスライドする。この経路では、駆動要素５は垂直な軸ａを中心に反時計方向に回動するので（図３ｇ〜図３ｉ）、押出装置１のバネ４が緊張される。バネ４の代わりに流体圧保存装置等の作用力保存装置を利用してもよい。
【００３５】
係止部６が誘導走行路８の入口区部Ａを通過すると、バネ４が緊張するか、または作用力保存装置にエネルギーが蓄積される。係止部６はその後、係留部１９と係合するまで誘導走行路８のロック区部Ｂを通過し、バネ式駆動要素５がロックされる。
【００３６】
図示の実施例では、後に詳説する誘導構造体１４に緩衝自動引入システムが提供されて
いる。このためロック区部Ｂは係留部１９の前方において、可動家具部の移動方向ＳＲ，ＯＲに実質的に平行な誘導走行路となっており、バネ４が入口区部Ａの端部で緊張された後、緩衝引入装置によってバネ４が緊張されたときに可動家具部はその閉端位置へと移動する。このような設計の効果は、１つはユーザが可動家具部を少し加速しただけでも可動家具部がその閉端位置へ移動することであり、もう１つはユーザが可動家具部を加速し過ぎた場合でも、可動家具部が家具本体に衝突することを防止でき、押出装置が緩衝引入装置によって急に放出されること防止することである。
【００３７】
図３ａから図３ｊは、可動家具部（図示せず）の開閉移動時における誘導構造体１４内
で一体的に提供された押出装置１の異なる位置を示している。押出装置１は図１ａと図１
ｂに示す実施例に対応する。
【００３８】
図３ａでは、可動家具部はその閉端位置にある。すなわちバネ４が作用する駆動要素５
の係止部６は誘導走行路８のロック区部Ｂの係留部１９に存在しているため、押出装置１
はロックされている。バネ式駆動要素５は第１部材３内に回転式に収容され、第１部材３
の誘導走行路７内で回動状態に誘導される。誘導走行路７を下から通過する係止部６は押
出装置１の第２部材２の誘導走行路８内でその自由端と係合し、押出装置１の第１部材３
は誘導構造体１４の家具本体レール１１へ固定的に接続されており、押出装置１の第２部
材２は誘導構造体１４の引出レール１２に固定されている。
【００３９】
家具本体レール１１には、この家具本体レール１１に対して移動できる引出レール１２と、結合要素２１を介して係合する引入装置２０も取り付けられている。家具本体レール１１には、引出レール１２に装着された停止部１８と協調する流体圧吸収装置の形態の緩衝装置１７も取り付けられている。
【００４０】
可動家具部を開けるか、または駆動要素５のロックを解除するため、第１ステップ（図
３ｂ）では、可動家具部はユーザによって、閉端位置背後に位置する解除位置（図３ｂ位置）まで移動させるため、閉方向ＳＲに移動される。可動家具部と共に引出レール１２と、押出装置１の引出レール１２に接続された第２部材２もまた閉方向ＳＲに移動され、第１部材３内に回転式に収容された駆動要素５は誘導走行路８のロック区部Ｂの係留部１９を離れ、駆動要素５のロックが外されて図の右方向への押出作用が開始される。
【００４１】
引っ張りバネ４の引っ張り作用によって、押出装置１の第１部材３の誘導走行路７内で誘導される駆動要素５は右方向（時計回り方向）に回動し（図３ｃ）、駆動区部とも呼ばれる誘導走行路８の押出し区部Ａ’の側壁に沿ってスライドし、押出装置１の第２部材２と引出レール１２とが可動家具部の開方向ＯＲに移動する。同様に引出レール１２に取り付けられた停止部１８が開方向ＯＲに移動し、緩衝装置１７は緩む。
【００４２】
図３ｄで示すように、駆動要素５は押出し区部Ａ’の右端部に存在し、バネ４は完全に弛緩状態である。すなわち押出作用が終了し、可動家具部は開位置に存在している。緩衝装置１７の弛緩作用は開方向ＯＲに移動する引出レール１２によってさらに継続される。引出レール１２は作用力保存装置にエネルギーを蓄積するため、結合要素２１を介して引入装置２０とさらに係合する。引入装置２０の作用力保存装置がバネまたは流体圧保存装置によって提供されているか否かは重要ではない。
【００４３】
引出レール１２が可動家具部を介してさらに開方向ＯＲに移動すると（図３ｅ）、移動
方向ＯＲ、ＳＲに平行な誘導走行路８の出口区部Ｃが、係止部６が誘導走行路８を離れるまで駆動要素５の係止部６を介して誘導されて外側へ移動する。誘導走行路８の直前に提供されるか、または誘導走行路８の出口１０領域に提供され、上方から誘導走行路８内に突入しているフレキシブルな突出部９は駆動要素５が誘導走行路８を離れるまで係止部６によって上方へ押される（図３ｆ）。ここで引入装置２０は完全にエネルギー蓄積され、緩衝装置１７はエネルギー放出される。
【００４４】
可動家具部が開位置に到達した後にユーザによって再度押し込まれると、引出レール１
２と押出装置１の第２部材２とが可動家具部の閉方向ＳＲに移動する（図３ｇ）。押出装
置１の第１部材３内にアレンジされた駆動要素５が突出部９の先端部を乗り越えると、押出装置１の第２部材２内にアレンジされた誘導走行路８の入口/出口へと突入する楔形のフレキシブルな突出部９は駆動要素５の係止部６を誘導走行路８の入口区部Ａへと移動させる（図３ｈ）。
【００４５】
誘導走行路８の入口区部Ａによって、押出装置の第１部材３の誘導走行路７内に誘導される駆動要素５は左（反時計方向）に回動し、係止部６と誘導走行路８の入口区部Ａとの相互作用によって駆動要素５に作用する引っ張りバネ４は引き伸ばされる。
【００４６】
図３ｉに示す位置でバネ４の引っ張りは終了し、駆動要素の係止部６は入口区部Ａの下端部に位置される。同時に引入装置２０が結合要素２１を介して引出レール１２と係合し、引出レール１２と可動家具部とは引入装置２０によってその閉端位置へと移動する。その閉移動は緩衝装置１７によって緩衝される。この引入時に、駆動要素５の係止部６は、係留部１９内に位置するまで可動家具部の移動方向ＯＲ、ＳＲに対して実質的平行な誘導走行路８のロック区部Ｂの１区部に沿って移動し、駆動要素５は再びロックされる。
【実施例２】
【００４７】
本発明による押出装置１の第２実施例を図５ａから図５ｄに示す。第１実施例とは異なり、図５ａから図５ｄに示す実施例２の誘導構造体１４は引入装置と緩衝装置を有していない。引入装置が存在しないため誘導走行路８の入口区部Ａは、誘導走行路８のロック区部Ｂの係留部１９にまで延びている。前述の実施例１とは逆に本実施例ではロック区部Ｂは、駆動区部とも呼ばれる誘導走行路の押出し区部Ａ’と実質的に同じ方向に走行する。
【００４８】
それ以外では、本実施例２は図１から図４の実施例１と同じ作動原理で作動するため、説明は省略する。
【００４９】
家具内でガイド式に移動できる家具部のためのロック可能な押出装置に関する前述の実
施例は本発明を限定するものではない。
【図面の簡単な説明】
【００５０】
【図１】図１ａは誘導構造体内に一体的に提供された本発明の押出装置の第１実施例
である。図１ｂは図１ａの押出装置の分解図を示す実施例である。
【図２】図２ａから図２ｄは可動家具部の開閉移動時における駆動装置の誘導走行路
内での異なる位置を示す概略図である。
【図３】図３ａから図３ｊは第１実施例による可動家具部の開閉移動時における本発
明の押出装置の作動原理を図示する。
【図４】図４は図３の押出装置の下側を示す斜視図である。
【図５】図５ａから図５ｄは第２実施例による可動家具部の開閉移動時の本発明の押出装置の作動原理を図示する。
【図１ａ】
0005586847.tif 000002
【図１ｂ】
0005586847.tif 000003
【図２ａ】
0005586847.tif 000004
【図２ｂ】
0005586847.tif 000005
【図２ｃ】
0005586847.tif 000006
【図２ｄ】
0005586847.tif 000007
【図３ａ】
0005586847.tif 000008
【図３ｂ】
0005586847.tif 000009
【図３ｃ】
0005586847.tif 000010
【図３ｄ】
0005586847.tif 000011
【図３ｅ】
0005586847.tif 000012
【図３ｆ】
0005586847.tif 000013
【図３ｇ】
0005586847.tif 000014
【図３ｈ】
0005586847.tif 000015
【図３ｉ】
0005586847.tif 000016
【図３ｊ】
0005586847.tif 000017
【図４】
0005586847.tif 000018
【図５ａ】
0005586847.tif 000019
【図５ｂ】
0005586847.tif 000020
【図５ｃ】
0005586847.tif 000021
【図５ｄ】
0005586847.tif 000022